(57)【要約】【課題】可搬型記憶媒体に記憶されている医用画像と患者とを正確に対応付ける。【解決手段】病院Ａで作成された可搬媒体５０には、患者ＩＤが付帯された医用画像データ及び患者ＩＤを含む患者プロファイル情報が記憶されている。病院Ｂの患者受付装置１０ｂでは、可搬媒体５０から患者プロファイル情報を読み出し、患者ＩＤを病院Ｂ固有の患者ＩＤに変更させるＩＤ変更指示情報を生成し、患者プロファイル情報とともにＩＤ変更指示情報を画像サーバ３０ｂに送信する。画像サーバ３０ｂでは、患者受付装置１０ｂから送信された患者プロファイル情報及びＩＤ変更指示情報を受信する。そして、画像サーバ３０ｂは、可搬媒体５０から医用画像データを読み出し、患者受付装置１０ｂから受信したＩＤ変更指示情報に基づいて、医用画像データに付帯されている患者ＩＤを病院Ｂ固有の患者ＩＤに変更し、変更後の医用画像データを記憶する。【選択図】図１
2008234305.tif 000002
【特許請求の範囲】
【請求項１】
一の医療機関に設置された医用画像システムにおいて可搬型記憶媒体に記憶された医用画像及び患者プロファイル情報を読み出して処理する、他の医療機関に設置される医用画像システムであって、
前記医用画像には患者ＩＤ情報が付帯されており、
前記患者プロファイル情報は前記患者ＩＤ情報を含み、
前記可搬型記憶媒体から前記患者プロファイル情報を読み出し、前記患者ＩＤ情報を前記他の医療機関固有の患者ＩＤ情報に変更させる指示情報を生成する制御部、及び、前記読み出された患者プロファイル情報とともに、前記生成された指示情報を送信する送信部を有する患者受付装置と、
前記患者受付装置から送信された患者プロファイル情報及び指示情報を受信する受信部、及び、前記可搬型記憶媒体から前記医用画像を読み出し、前記受信された指示情報に基づいて、前記読み出された医用画像に付帯されている患者ＩＤ情報を前記他の医療機関固有の患者ＩＤ情報に変更し、当該医用画像を記憶部に記憶させる制御部を有する画像サーバと、
を備える医用画像システム。
【請求項２】
前記患者受付装置は、前記他の医療機関固有の患者ＩＤ情報を含む患者プロファイル情報を記憶する記憶部を有し、
前記患者受付装置の制御部は、前記可搬型記憶媒体から読み出された患者プロファイル情報と前記患者受付装置の記憶部に記憶されている患者プロファイル情報とに基づいて、前記指示情報を生成する請求項１に記載の医用画像システム。
【請求項３】
前記患者受付装置の制御部は、前記可搬型記憶媒体から読み出された患者プロファイル情報に対応する患者について前記患者受付装置の記憶部に患者プロファイル情報が記憶されていない場合には、当該患者に前記他の医療機関固有の患者ＩＤを新たに付与する請求項２に記載の医用画像システム。
【請求項４】
前記患者プロファイル情報は、患者情報、保険証情報又は患者状態情報を含む請求項１から３のいずれか一項に記載の医用画像システム。
【発明の詳細な説明】
【技術分野】
【０００１】
本発明は、医用画像システムに関する。
【背景技術】
【０００２】
近年、医療の分野では、患者を撮影した医用画像のデジタル化が実現されている。例えば、ＣＲ（Computed Radiography）装置、ＣＴ（Computed Tomography）装置、ＭＲＩ（Magnetic Resonance Imaging）装置等の画像生成装置（モダリティ）により撮影され、デジタル化された医用画像は、患者情報や検査情報等とともにＰＡＣＳ（Picture Archiving and Communication System）に保存され、管理されている。
【０００３】
具体的には、ＨＩＳ（Hospital Information System：病院情報システム）やＲＩＳ（Radiological Information System：放射線情報システム）から患者情報や検査情報を含むオーダ情報がモダリティに送信され、モダリティは、撮影技師の操作に従ってそのオーダ情報に基づいた撮影を行う。そして、その撮影によって得られた医用画像を、ＤＩＣＯＭ（Digital Imaging and Communications in Medicine）規格に基づいたデータ形式で生成した後に、ＰＡＣＳに転送する。ＨＩＳやＲＩＳでは、患者情報や検査情報に基づいて、ＰＡＣＳに保存されている医用画像を参照することができる。
【０００４】
患者が複数の医療機関を利用する場合には、複数の医療機関相互間において同じ患者の診療情報を交換できると便利である。そのような例として、複数の医療機関がインターネットを介してデータ送受信可能に構成されている医療機関連携システムにおいて、診療情報等について電子メールで情報交換を行うことが提案されている（特許文献１参照）。
【０００５】
また、ＰＡＣＳで管理される医用画像を他のシステムや一般患者へ提供する方法として、ネットワークによる提供とは別に、ＩＨＥ（Integrating the Healthcare Enterprise）におけるＰＤＩ（Portable Data for Imaging）に対応した可搬型の記憶媒体による提供も行われている。これは、医用画像をＣＤ−Ｒ（Compact Disk Recordable）やＤＶＤ−Ｒ（Digital Versatile Disk Recordable）等の記憶媒体に保存し、記憶媒体を搬送することによりデータの移送を行うものである。また、ＰＤＩでは、記憶媒体におけるディレクトリ構成や索引ファイル等も規定されており、異なる医療機関の間でのデータ交換が保証されている。
【特許文献１】特開２００３−３０３３８号公報
【発明の開示】
【発明が解決しようとする課題】
【０００６】
しかし、患者を識別するために各患者に対して付与されている患者ＩＤは、医療機関毎に異なるため、可搬型記憶媒体を介して他の医療機関から医用画像を取り込んだ場合、その医用画像に元の医療機関における患者ＩＤが付帯されていると、別患者の情報として管理されてしまったり、取り込み先の医療機関において同一の患者ＩＤが付与されている患者と対応付けられてしまったりして、医用画像と患者との対応付けを正確に行うことができないおそれがあった。そのため、可搬型記憶媒体に記憶されている医用画像を取り込む際には、ユーザが取り込み先の医療機関における患者ＩＤを入力し直す必要があり、煩雑な作業であった。
【０００７】
本発明は上記の従来技術における問題に鑑みてなされたものであって、可搬型記憶媒体に記憶されている医用画像と患者とを正確に対応付けることができる医用画像システムを提供することを課題とする。
【課題を解決するための手段】
【０００８】
上記課題を解決するために、請求項１に記載の発明は、一の医療機関に設置された医用画像システムにおいて可搬型記憶媒体に記憶された医用画像及び患者プロファイル情報を読み出して処理する、他の医療機関に設置される医用画像システムであって、前記医用画像には患者ＩＤ情報が付帯されており、前記患者プロファイル情報は前記患者ＩＤ情報を含み、前記可搬型記憶媒体から前記患者プロファイル情報を読み出し、前記患者ＩＤ情報を前記他の医療機関固有の患者ＩＤ情報に変更させる指示情報を生成する制御部、及び、前記読み出された患者プロファイル情報とともに、前記生成された指示情報を送信する送信部を有する患者受付装置と、前記患者受付装置から送信された患者プロファイル情報及び指示情報を受信する受信部、及び、前記可搬型記憶媒体から前記医用画像を読み出し、前記受信された指示情報に基づいて、前記読み出された医用画像に付帯されている患者ＩＤ情報を前記他の医療機関固有の患者ＩＤ情報に変更し、当該医用画像を記憶部に記憶させる制御部を有する画像サーバと、を備える。
【０００９】
請求項２に記載の発明は、請求項１に記載の医用画像システムにおいて、前記患者受付装置は、前記他の医療機関固有の患者ＩＤ情報を含む患者プロファイル情報を記憶する記憶部を有し、前記患者受付装置の制御部は、前記可搬型記憶媒体から読み出された患者プロファイル情報と前記患者受付装置の記憶部に記憶されている患者プロファイル情報とに基づいて、前記指示情報を生成する。
【００１０】
請求項３に記載の発明は、請求項２に記載の医用画像システムにおいて、前記患者受付装置の制御部は、前記可搬型記憶媒体から読み出された患者プロファイル情報に対応する患者について前記患者受付装置の記憶部に患者プロファイル情報が記憶されていない場合には、当該患者に前記他の医療機関固有の患者ＩＤを新たに付与する。
【００１１】
請求項４に記載の発明は、請求項１から３のいずれか一項に記載の医用画像システムにおいて、前記患者プロファイル情報は、患者情報、保険証情報又は患者状態情報を含む。
【発明の効果】
【００１２】
請求項１に記載の発明によれば、医用画像に付帯されている患者ＩＤ情報を他の医療機関固有の患者ＩＤ情報に変更するので、可搬型記憶媒体に記憶されている医用画像と患者とを正確に対応付けることができる。
【００１３】
請求項２に記載の発明によれば、患者受付装置において、可搬型記憶媒体から読み出された患者プロファイル情報と患者受付装置の記憶部に記憶されている患者プロファイル情報とに基づいて、患者ＩＤ情報を他の医療機関固有の患者ＩＤ情報に変更させる指示情報を生成することができる。
【００１４】
請求項３に記載の発明によれば、患者受付装置において、患者プロファイル情報が記憶されていない患者については、他の医療機関固有の患者ＩＤを新たに付与することができる。
【００１５】
請求項４に記載の発明によれば、他の医療機関において、可搬型記憶媒体に記憶されている患者情報、保険証情報又は患者状態情報を利用することができる。
【発明を実施するための最良の形態】
【００１６】
以下、図面を参照して、本発明に係る医用画像システムの実施の形態について説明する。
図１に、本実施の形態における医用画像システム１のシステム構成を示す。医用画像システム１は、第１の医用画像システム１００及び第２の医用画像システム２００を有する。第１の医用画像システム１００は病院Ａに設置されたシステムであって、他の医療機関に提供するための可搬型記憶媒体（以下、「可搬媒体」という。）５０を作成する。第２の医用画像システム２００は病院Ｂに設置されたシステムであって、他の医療機関から提供された可搬媒体５０を利用することが可能となっている。なお、図１では、医用画像システム１が二つの医療機関における医用画像システム（第１の医用画像システム１００及び第２の医用画像システム２００）を有する場合を図示しているが、より多くの医療機関における医用画像システムを含む構成であってもよい。
【００１７】
第１の医用画像システム１００は、患者受付装置１０ａと、モダリティ２０ａと、画像サーバ３０ａと、診療端末４０ａとがＬＡＮ（Local Area Network）等の通信ネットワークＮ１を介して接続され、それぞれがデータ通信可能に構成されている。
【００１８】
患者受付装置１０ａは、病院Ａ内の患者に関する患者プロファイル情報を登録・管理する装置である。患者プロファイル情報には、患者情報、保険証情報、患者状態情報、入外区分（入院／外来）、患者所在等が含まれる。患者情報には、患者ＩＤ情報（以下、「患者ＩＤ」という。）、氏名、性別、生年月日等が含まれる。患者ＩＤは、医療機関毎に各患者に対して付与される医療機関固有の識別情報であり、同一の医療機関においては各患者の患者ＩＤは、それぞれ異なる。保険証情報には、保険証の交付日、記号、番号、氏名、性別、生年月日、事業所所在地、事業所名称、保険者番号、保険者名称等が含まれる。患者状態情報には、家族構成、感染症、アレルギー、障害（意識障害、言語障害、歩行状態等）等が含まれる。初診時には、患者受付装置１０ａにおいて患者プロファイル情報が登録される。
【００１９】
図２に、患者受付装置１０ａの機能的構成を示す。図２に示すように、患者受付装置１０ａは、制御部１１、入力部１２、表示部１３、通信部１４、メディアドライブ１５、記憶部１６等を備えて構成され、各部はバス１７により接続されている。
【００２０】
制御部１１は、ＣＰＵ（Central Processing Unit）、ＲＯＭ（Read Only Memory）、ＲＡＭ（Random Access Memory）等から構成され、患者受付装置１０ａの各部の処理動作を統括的に制御する。具体的には、ＣＰＵは、入力部１２から入力される操作信号又は通信部１４により受信される指示信号に応じて、ＲＯＭに記憶されている各種処理プログラムを読み出し、ＲＡＭ内に形成されたワークエリアに展開し、当該プログラムとの協働により各種処理を行う。
【００２１】
入力部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００２２】
表示部１３は、ＬＣＤ（Liquid Crystal Display）により構成され、制御部１１から入力される表示データに基づいて各種画面を表示する。
【００２３】
通信部１４は、ＬＡＮアダプタ、ルータ、ＴＡ（Terminal Adapter）等を備え、通信ネットワークＮ１を介して接続されたモダリティ２０ａ、画像サーバ３０ａ、診療端末４０ａ等の外部機器との間でデータの送受信を行う。
【００２４】
メディアドライブ１５は、可搬媒体５０に記憶されているデータを読み出す。
【００２５】
記憶部１６は、ハードディスク等の記憶装置であり、病院Ａ固有の患者ＩＤを含む病院Ａ内の患者の患者プロファイル情報等、各種データを記憶する。
【００２６】
モダリティ２０ａは、患者を撮影し、医用画像の画像データ（以下、「医用画像データ」という。）を生成する。具体的には、モダリティ２０ａは、撮影して得られた画像のデータ信号をＤＩＣＯＭ規格に則ったデジタルデータに変換し、当該医用画像データに、患者情報（患者ＩＤ、氏名、性別、生年月日等）、検査情報（検査日付、検査時刻、検査インスタンスＵＩＤ、受付番号、撮影技師、依頼医師、依頼部門等）、シリーズ情報（撮影装置、手技、部位等）等を付帯させる。モダリティ２０ａとしては、ＣＲ装置、ＣＴ装置、ＭＲＩ装置、内視鏡装置、超音波診断装置等、様々な種類の医用画像を撮影するモダリティが適用可能である。
【００２７】
画像サーバ３０ａは、医用画像データを保存し、管理する。
【００２８】
図３に、画像サーバ３０ａの機能的構成を示す。図３に示すように、画像サーバ３０ａは、制御部３１、入力部３２、表示部３３、通信部３４、メディアドライブ３５、記憶装置３６等を備えて構成され、各部はバス３７により接続されている。
【００２９】
制御部３１は、ＣＰＵ、ＲＯＭ、ＲＡＭ等から構成され、画像サーバ３０ａの各部の処理動作を統括的に制御する。具体的には、ＣＰＵは、入力部３２から入力される操作信号又は通信部３４により受信される指示信号に応じて、ＲＯＭに記憶されている各種処理プログラムを読み出し、ＲＡＭ内に形成されたワークエリアに展開し、当該プログラムとの協働により各種処理を行う。
【００３０】
入力部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３１】
表示部３３は、ＬＣＤにより構成され、制御部３１から入力される表示データに基づいて各種画面を表示する。
【００３２】
通信部３４は、ＬＡＮアダプタ、ルータ、ＴＡ等を備え、通信ネットワークＮ１を介して接続された患者受付装置１０ａ、モダリティ２０ａ、診療端末４０ａ等の外部機器との間でデータの送受信を行う。例えば、通信部３４は、モダリティ２０ａから送信された医用画像データを受信する。
【００３３】
メディアドライブ３５は、可搬媒体５０に記憶されているデータの読み出しや、可搬媒体５０に対するデータの書き込みを行う。
【００３４】
記憶装置３６は、ハードディスク等から構成され、モダリティ２０ａにより生成された医用画像データ、病院Ａ内の患者の患者プロファイル情報等を記憶する。記憶装置３６内で、医用画像データと患者プロファイル情報とは対応付けられている。
【００３５】
制御部３１は、メディアドライブ３５を介して、病院Ａにおける患者ＩＤが付帯された医用画像データと病院Ａにおける患者ＩＤを含む患者プロファイル情報とを対応付けて可搬媒体５０に記憶させる。
【００３６】
診療端末４０ａは、各診療科に設置されており、画像サーバ３０ａに記憶されている医用画像データの中から診断対象となる医用画像データを選択し、画像サーバ３０ａから提供された医用画像データを表示するための装置である。
【００３７】
可搬媒体５０は、ＣＤ−ＲやＤＶＤ−Ｒ等の可搬型の記憶媒体であって、ＤＩＣＯＭ規格に則って生成された医用画像データ及び患者プロファイル情報が記憶される。可搬媒体５０に記憶されるデータは、ＰＤＩに従ったデータ構造を有している。
【００３８】
ここで、図４を参照して、ＰＤＩによる可搬媒体５０のデータ構造について説明する。図４に示すように、ルートディレクトリ５１は、ＤＩＣＯＭＤＩＲファイル５２、ＤＩＣＯＭディレクトリ５３、ＨＬ７（Health Level ７：医療情報標準化規格）インデックス５４、ＨＬ７ディレクトリ５５を構成要素としている。
【００３９】
ＤＩＣＯＭＤＩＲファイル５２は、可搬媒体５０に記憶されている医用画像データを統一的に管理する索引ファイルである。ＤＩＣＯＭディレクトリ５３は、医用画像データを格納するためのディレクトリである。
【００４０】
ＨＬ７インデックス５４は、可搬媒体５０に記憶されている患者プロファイル情報を統一的に管理する索引ファイルである。ＨＬ７ディレクトリ５５は、患者プロファイル情報を記述したＨＬ７電文を格納するためのディレクトリである。
【００４１】
第２の医用画像システム２００は、図１に示すように、患者受付装置１０ｂと、モダリティ２０ｂと、画像サーバ３０ｂと、診療端末４０ｂとがＬＡＮ等の通信ネットワークＮ２を介して接続され、それぞれがデータ通信可能に構成されている。
【００４２】
患者受付装置１０ｂは、図２に示した患者受付装置１０ａと同様の構成によってなるため、同一の構成部分については同一の符号を付し、その構成については図示及び説明を省略する。
【００４３】
ここで、患者受付装置１０ｂに特徴的な構成について説明する。
患者受付装置１０ｂの記憶部１６は、病院Ｂ固有の患者ＩＤを含む病院Ｂ内の患者の患者プロファイル情報等、各種データを記憶する。
【００４４】
患者受付装置１０ｂの制御部１１は、メディアドライブ１５を介して、可搬媒体５０から患者プロファイル情報を読み出す。そして、制御部１１は、可搬媒体５０から読み出された患者プロファイル情報と記憶部１６に記憶されている患者プロファイル情報とに基づいて、可搬媒体５０から読み出された患者プロファイル情報に含まれる患者ＩＤを病院Ｂにおける患者ＩＤに変更させる指示情報（以下、「ＩＤ変更指示情報」という。）を生成する。具体的には、まず、制御部１１は、可搬媒体５０から読み出された患者プロファイル情報に対応する患者について記憶部１６に患者プロファイル情報が記憶されているか否かを判断する。
【００４５】
可搬媒体５０から読み出された患者プロファイル情報に対応する患者について記憶部１６に患者プロファイル情報が記憶されていない場合には、制御部１１は、この患者に病院Ｂ固有の患者ＩＤを新たに付与し、可搬媒体５０から読み出された患者プロファイル情報に含まれる患者ＩＤを新たに付与された病院Ｂにおける患者ＩＤに変更させるＩＤ変更指示情報を生成する。そして、制御部１１は、通信部１４を介して、可搬媒体５０から読み出された患者プロファイル情報とともに、ＩＤ変更指示情報を画像サーバ３０ｂに送信させる。
【００４６】
一方、可搬媒体５０から読み出された患者プロファイル情報に対応する患者について記憶部１６に患者プロファイル情報が記憶されている場合であって、可搬媒体５０から読み出された患者プロファイル情報に含まれる患者ＩＤと、記憶部１６に記憶されている患者プロファイル情報に含まれる病院Ｂにおける患者ＩＤとが一致しないときには、制御部１１は、可搬媒体５０から読み出された患者プロファイル情報に含まれる患者ＩＤを病院Ｂにおける患者ＩＤに変更させるＩＤ変更指示情報を生成する。そして、制御部１１は、通信部１４を介して、可搬媒体５０から読み出された患者プロファイル情報とともに、ＩＤ変更指示情報を画像サーバ３０ｂに送信させる。
【００４７】
画像サーバ３０ｂは、図３に示した画像サーバ３０ａと同様の構成によってなるため、同一の構成部分については同一の符号を付し、その構成については図示及び説明を省略する。
【００４８】
ここで、画像サーバ３０ｂに特徴的な構成について説明する。
画像サーバ３０ｂの記憶装置３６は、医用画像データ、病院Ｂ内の患者の患者プロファイル情報等を記憶する。記憶装置３６内で、医用画像データと患者プロファイル情報とは対応付けられている。
【００４９】
画像サーバ３０ｂの通信部３４は、患者受付装置１０ｂから送信された患者プロファイル情報及びＩＤ変更指示情報を受信する。
【００５０】
画像サーバ３０ｂの制御部３１は、メディアドライブ３５を介して、可搬媒体５０から医用画像データを読み出す。そして、制御部３１は、患者受付装置１０ｂから受信したＩＤ変更指示情報に基づいて、可搬媒体５０から読み出された医用画像データに付帯されている患者ＩＤを病院Ｂにおける患者ＩＤに変更し、医用画像データを記憶装置３６に記憶させる。
【００５１】
モダリティ２０ｂは、モダリティ２０ａと同様の構成によってなるため、その構成については説明を省略する。また、診療端末４０ａは、診療端末４０ｂと同様の構成によってなるため、その構成については説明を省略する。
【００５２】
次に、動作を説明する。
図５は、第１の医用画像システム１００の画像サーバ３０ａにおいて実行される可搬媒体作成処理を示すフローチャートである。この処理は、病院Ａにおいて患者を撮影して得られた医用画像データを、他の医療機関においても利用可能なように、可搬媒体５０に記憶させる処理である。
【００５３】
まず、画像サーバ３０ａの入力部３２からの操作により、記憶装置３６に記憶されている医用画像データの中から、可搬媒体５０に記憶すべき医用画像データが選択される（ステップＳ１）。
【００５４】
次に、制御部３１により、選択された医用画像データが記憶装置３６から読み出され、メディアドライブ３５を介して、可搬媒体５０に記憶される（ステップＳ２）。そして、制御部３１により、可搬媒体５０に記憶された医用画像データに対応する患者プロファイル情報が記憶装置３６から読み出され、メディアドライブ３５を介して、医用画像データと対応付けられて可搬媒体５０に記憶される（ステップＳ３）。具体的には、図４に示すように、可搬媒体５０において、ＤＩＣＯＭディレクトリ５３に医用画像データが格納され、ＨＬ７ディレクトリ５５に患者プロファイル情報が格納される。
以上で、可搬媒体作成処理が終了する。
【００５５】
可搬媒体５０に、医用画像データと患者プロファイル情報とが対応付けられて記憶されるので、可搬媒体５０を作成する際に、医用画像データと患者プロファイル情報との対応付けが保証される。
【００５６】
図６は、第２の医用画像システム２００の患者受付装置１０ｂにおいて実行される患者受付処理を示すフローチャートである。この処理は、患者が可搬媒体５０を病院Ｂに持参した場合に行われる処理である。
【００５７】
まず、患者受付装置１０ｂのメディアドライブ１５に可搬媒体５０がセットされ、制御部１１により、メディアドライブ１５を介して、可搬媒体５０から患者プロファイル情報が読み出される（ステップＳ１１）。
【００５８】
次に、制御部１１により、可搬媒体５０から読み出された患者プロファイル情報と、記憶部１６に記憶されている病院Ｂ内の患者の患者プロファイル情報とが比較される（ステップＳ１２）。
【００５９】
可搬媒体５０から読み出された患者プロファイル情報に対応する患者について記憶部１６に患者プロファイル情報が記憶されていない場合、すなわち、この患者が病院Ｂにおいて登録されていない場合には（ステップＳ１３；Ｎｏ）、制御部１１により、この患者に新たな患者ＩＤ（病院Ｂ固有の患者ＩＤ）が付与される（ステップＳ１４）。そして、制御部１１により、可搬媒体５０から読み出された患者プロファイル情報の患者ＩＤが新たに付与された病院Ｂにおける患者ＩＤに変更され、変更後の患者プロファイル情報が記憶部１６に記憶される。次いで、制御部１１により、可搬媒体５０から読み出された患者プロファイル情報に含まれる患者ＩＤを新たに付与された病院Ｂにおける患者ＩＤに変更させるＩＤ変更指示情報が生成される（ステップＳ１５）。そして、制御部１１の制御に従って、通信部１４により、可搬媒体５０から読み出された患者プロファイル情報とともに、ＩＤ変更指示情報が画像サーバ３０ｂに送信される（ステップＳ１６）。
【００６０】
一方、可搬媒体５０から読み出された患者プロファイル情報に対応する患者について記憶部１６に患者プロファイル情報が記憶されている場合、すなわち、この患者が病院Ｂにおいて登録されている場合には（ステップＳ１３；Ｙｅｓ）、制御部１１により、可搬媒体５０から読み出された患者プロファイル情報に含まれる患者ＩＤと、記憶部１６に記憶されている患者プロファイル情報に含まれる病院Ｂにおける患者ＩＤとが一致するか否かが判断される（ステップＳ１７）。
【００６１】
可搬媒体５０から読み出された患者プロファイル情報に含まれる患者ＩＤと病院Ｂにおける患者ＩＤとが一致しない場合には（ステップＳ１７；Ｎｏ）、制御部１１により、可搬媒体５０から読み出された患者プロファイル情報に含まれる患者ＩＤを病院Ｂにおける患者ＩＤに変更させるＩＤ変更指示情報が生成される（ステップＳ１５）。また、制御部１１により、記憶部１６に記憶されている患者プロファイル情報のうち患者ＩＤを除く情報については、可搬媒体５０から読み出された患者プロファイル情報に基づいて更新される。次いで、制御部１１の制御に従って、通信部１４により、可搬媒体５０から読み出された患者プロファイル情報とともに、ＩＤ変更指示情報が画像サーバ３０ｂに送信される（ステップＳ１６）。
【００６２】
ステップＳ１７において、可搬媒体５０から読み出された患者プロファイル情報に含まれる患者ＩＤと病院Ｂにおける患者ＩＤとが一致する場合には（ステップＳ１７；Ｙｅｓ）、可搬媒体５０が病院Ｂ内で作成されたか、病院Ｂからの撮影指示に基づいて他の病院で撮影された場合等が考えられ、患者ＩＤの変更は不要であり、そのまま処理が終了する。
以上で、患者受付処理が終了する。
【００６３】
図７は、第２の医用画像システム２００の画像サーバ３０ｂにおいて実行される画像登録処理を示すフローチャートである。この処理は、患者が持参した可搬媒体５０に記憶されている医用画像データを記憶装置３６に登録する場合に行われる処理である。
【００６４】
画像サーバ３０ｂの通信部３４により、患者受付装置１０ｂから送信された患者プロファイル情報及びＩＤ変更指示情報が受信された場合には（ステップＳ２１；Ｙｅｓ）、制御部３１により、患者プロファイル情報及びＩＤ変更指示情報が記憶装置３６に記憶される。具体的には、制御部３１により、新規に登録される患者の場合には患者プロファイル情報が登録され、既に登録されている患者の場合には患者ＩＤを除く患者プロファイル情報が更新される（ステップＳ２２）。
【００６５】
その後、画像サーバ３０ｂのメディアドライブ３５に可搬媒体５０がセットされると、制御部３１により、メディアドライブ３５を介して可搬媒体５０に記憶されている医用画像データが読み出される（ステップＳ２３）。そして、制御部３１により、可搬媒体５０から読み出された医用画像データに付帯されている患者ＩＤに対応するＩＤ変更指示情報に基づいて、医用画像データに付帯されている患者ＩＤが病院Ｂにおける患者ＩＤに変更される（ステップＳ２４）。患者ＩＤが変更された医用画像データは、制御部３１により、記憶装置３６に記憶される（ステップＳ２５）。
【００６６】
一方、ステップＳ２１において、患者受付装置１０ｂから患者プロファイル情報及びＩＤ変更指示情報が受信されない場合（ステップＳ２１；Ｎｏ）、すなわち、患者ＩＤを変更する必要がない場合には、画像サーバ３０ｂのメディアドライブ３５に可搬媒体５０がセットされると、制御部３１により、メディアドライブ３５を介して可搬媒体５０に記憶されている医用画像データが読み出される（ステップＳ２６）。そして、制御部３１により、読み出された医用画像データは記憶装置３６に記憶される（ステップＳ２５）。
以上で、画像登録処理が終了する。
【００６７】
図８に、画像サーバ３０ｂの記憶装置３６のデータ構造の例を示す。
図８に示すように、医用画像データには、患者ＩＤ、患者氏名、検査インスタンスＵＩＤ、検査日、シリーズインスタンスＵＩＤ、部位、ＳＯＰインスタンスＵＩＤ等の情報が付帯されている。可搬媒体５０から読み出した医用画像データ５６（患者ＩＤ：Ｐ００１、患者氏名：渋谷孝則）を記憶装置３６に新規に登録する場合、患者ＩＤのみに基づいて記憶装置３６に既に登録されている医用画像データと対応付けてしまうと、病院Ｂにおいて同一の患者ＩＤとして登録されている「品川五郎」の医用画像データと対応付けられることになる。そこで、上述したように、患者受付装置１０ｂにおいて、予め、可搬媒体５０から読み出された患者プロファイル情報と記憶部１６に記憶されている患者プロファイル情報とに基づいて、患者ＩＤ「Ｐ００１」の医用画像データに対して、病院Ｂにおける患者ＩＤ「Ｐ００５」に変更させるＩＤ変更指示情報を生成し、画像サーバ３０ｂに送信しておくことにより、画像サーバ３０ｂでは医用画像データと患者とを正確に対応付けることができる。
【００６８】
以上説明したように、画像サーバ３０ｂにおいて、可搬媒体５０から読み出した医用画像データに付帯されている患者ＩＤを病院Ｂ固有の患者ＩＤに変更するので、可搬媒体５０に記憶されている医用画像データと患者とを正確に対応付けることができる。
【００６９】
また、患者受付装置１０ｂにおいて、可搬媒体５０から読み出された患者プロファイル情報と記憶部１６に記憶されている患者プロファイル情報とに基づいて、患者ＩＤを病院Ｂ固有の患者ＩＤに変更させるＩＤ変更指示情報を生成することができる。また、患者受付装置１０ｂにおいて、記憶部１６に患者プロファイル情報が記憶されていない患者については、病院Ｂ固有の患者ＩＤを新たに付与することができる。
【００７０】
また、病院Ｂに設置された第２の医用画像システム２００において、可搬媒体５０に記憶されている患者情報、保険証情報又は患者状態情報等の患者プロファイル情報を利用することができる。したがって、患者受付装置１０ｂにおいて、ユーザが入力部１２から患者プロファイル情報を再入力する必要がない。
【００７１】
なお、患者受付処理及び画像登録処理において、可搬媒体５０に記憶されている患者プロファイル情報に対応する患者の患者プロファイル情報が患者受付装置１０ｂの記憶部１６又は画像サーバ３０ｂの記憶装置３６に記憶されている場合に、患者ＩＤを除く患者プロファイル情報を更新することとしたが、可搬媒体５０に記憶されている患者プロファイル情報が患者受付装置１０ｂの記憶部１６又は画像サーバ３０ｂの記憶装置３６に記憶されている患者プロファイル情報より古い場合には、データの更新は行わない。
【００７２】
＜変形例１＞
次に、上記実施の形態で説明した医用画像システムを大規模な病院に適用した場合の例として変形例１及び変形例２を説明する。
図９に、変形例１における医用画像システム３００のシステム構成を示す。医用画像システム３００は、病院Ｃに設置されている。図９に示すように、医用画像システム３００は、患者受付装置１０ｃと、電子カルテシステム６０と、部門システム７０と、画像サーバ３０ｃとがＬＡＮ等の通信ネットワークを介して接続され、それぞれがデータ通信可能に構成されている。
【００７３】
患者受付装置１０ｃは、上記実施の形態に示した患者受付装置１０ｂと同様の構成によってなるため、同一の構成部分については同一の符号を付し、その構成については図示及び説明を省略する。患者受付装置１０ｃは、可搬媒体５０から読み出された患者プロファイル情報とともに、可搬媒体５０から読み出された患者プロファイル情報に含まれる患者ＩＤを病院Ｃにおける患者ＩＤに変更させるＩＤ変更指示情報を電子カルテシステム６０に送信する。
【００７４】
電子カルテシステム６０は、ＨＩＳにより構成される。電子カルテシステム６０は、内科、外科、皮膚科等の各診療科の医師によって使用され、患者単位で問診、所見、診断、過去の病歴等の情報管理を行う。また、電子カルテシステム６０は、治療計画に基づき、各種検査オーダ情報、処方オーダ情報等を病院内の各部門に送信する。また、電子カルテシステム６０は、患者受付装置１０ｃから受信した患者プロファイル情報及びＩＤ変更指示情報を部門システム７０に送信する。また、電子カルテシステム６０では、画像サーバ３０ｃに記憶されている医用画像データを参照可能である。
【００７５】
部門システム７０は、ＲＩＳにより構成され、放射線科部門内における診療予約、検査の開始／終了、診断結果等の情報管理を行う。また、部門システム７０は、電子カルテシステム６０から受信した患者プロファイル情報及びＩＤ変更指示情報を画像サーバ３０ｃに送信する。
【００７６】
画像サーバ３０ｃは、上記実施の形態に示した画像サーバ３０ｂと同様の構成によってなるため、同一の構成部分については同一の符号を付し、その構成については図示及び説明を省略する。画像サーバ３０ｃは、部門システム７０から患者プロファイル情報及びＩＤ変更指示情報を受信する。画像サーバ３０ｃの制御部３１は、メディアドライブ３５を介して、可搬媒体５０から医用画像データを読み出し、部門システム７０から受信したＩＤ変更指示情報に基づいて、可搬媒体５０から読み出された医用画像データに付帯されている患者ＩＤを病院Ｃにおける患者ＩＤに変更し、医用画像データを記憶装置３６に記憶させる。
【００７７】
可搬媒体５０から読み出された医用画像データが画像サーバ３０ｃの記憶装置３６に記憶された後は、電子カルテシステム６０において、画像サーバ３０ｃの記憶装置３６に記憶された、可搬媒体５０から読み出された医用画像データを参照可能となる。
【００７８】
このように、大規模な病院における医用画像システム３００においても、画像サーバ３０ｃで医用画像データに付帯されている患者ＩＤを病院Ｃ固有の患者ＩＤに変更することができるので、可搬媒体５０に記憶されている医用画像データと患者とを正確に対応付けることができる。
【００７９】
＜変形例２＞
図１０に、変形例２における医用画像システム４００のシステム構成を示す。医用画像システム４００は、病院Ｄに設置されている。図１０に示すように、医用画像システム４００は、患者受付装置１０ｄと、電子カルテシステム６０と、部門システム７０と、検像装置８０と、画像サーバ３０ｄとがＬＡＮ等の通信ネットワークを介して接続され、それぞれがデータ通信可能に構成されている。変形例２における医用画像システム４００は、変形例１における医用画像システム３００に検像装置８０を加えた構成であるため、同一の構成部分については同一の符号を付し、その構成については説明を省略する。
【００８０】
部門システム７０は、電子カルテシステム６０から受信した患者プロファイル情報及びＩＤ変更指示情報を検像装置８０に送信する。
【００８１】
検像装置８０は、医用画像データを画像サーバ３０ｄに保存する前に、医用画像を表示させ、画像のチェックを行うための装置である。例えば、診断に適した画質であるか否かの確認、画像の順序・配置の変更等が行われる。検像装置８０は、部門システム７０から患者プロファイル情報及びＩＤ変更指示情報を受信する。また、検像装置８０は、可搬媒体５０から医用画像データを読み出し、部門システム７０から受信したＩＤ変更指示情報に基づいて、可搬媒体５０から読み出された医用画像データに付帯されている患者ＩＤを病院Ｄにおける患者ＩＤに変更し、医用画像データを画像サーバ３０ｄに送信する。
【００８２】
画像サーバ３０ｄの制御部３１は、検像装置８０から患者ＩＤが変更された医用画像データを受信し、記憶装置３６に記憶させる。
【００８３】
このように、大規模な病院における医用画像システム４００においても、検像装置８０で医用画像データに付帯されている患者ＩＤを病院Ｄ固有の患者ＩＤに変更することができるので、可搬媒体５０に記憶されている医用画像データと患者とを正確に対応付けることができる。
【００８４】
なお、上記実施の形態、変形例１及び変形例２における記述は、本発明に係る医用画像システムの一例であり、これに限定されるものではない。各システムを構成する各装置の細部構成及び細部動作に関しても適宜変更可能である。
【図面の簡単な説明】
【００８５】
【図１】実施の形態における医用画像システムのシステム構成図である。
【図２】患者受付装置の機能的構成を示すブロック図である。
【図３】画像サーバの機能的構成を示すブロック図である。
【図４】可搬媒体のデータ構造を示す図である。
【図５】可搬媒体作成処理を示すフローチャートである。
【図６】患者受付処理を示すフローチャートである。
【図７】画像登録処理を示すフローチャートである。
【図８】画像サーバの記憶装置のデータ構造の例を示す図である。
【図９】変形例１における医用画像システムのシステム構成図である。
【図１０】変形例２における医用画像システムのシステム構成図である。
【符号の説明】
【００８６】
１  医用画像システム
１０ａ，１０ｂ，１０ｃ，１０ｄ  患者受付装置
１１  制御部
１２  入力部
１３  表示部
１４  通信部
１５  メディアドライブ
１６  記憶部
１７  バス
２０ａ，２０ｂ  モダリティ
３０ａ，３０ｂ，３０ｃ，３０ｄ  画像サーバ
３１  制御部
３２  入力部
３３  表示部
３４  通信部
３５  メディアドライブ
３６  記憶装置
３７  バス
４０ａ，４０ｂ  診療端末
５０  可搬媒体
６０  電子カルテシステム
７０  部門システム
８０  検像装置
１００  第１の医用画像システム
２００  第２の医用画像システム
３００，４００  医用画像システム
Ｎ１，Ｎ２  通信ネットワーク
【図１】
2008234305.tif 000003
【図２】
2008234305.tif 000004
【図３】
2008234305.tif 000005
【図４】
2008234305.tif 000006
【図５】
2008234305.tif 000007
【図６】
2008234305.tif 000008
【図７】
2008234305.tif 000009
【図８】
2008234305.tif 000010
【図９】
2008234305.tif 000011
【図１０】
2008234305.tif 000012